(57)【特許請求の範囲】
【請求項１】
撮像部に対する位置を変更可能な表示部と前記撮像部との位置関係を検知する検知手段と、
複数の撮影モードから撮影モードを選択する撮影モード選択手段と、
前記検知手段により、前記表示部と前記撮像部が特定の位置関係であることが検知されたことに応じて、または、前記撮影モード選択手段により所定の撮影モードが選択されたことに応じて、前記所定の撮影モードに設定する撮影モード設定手段と、
前記所定の撮影モードに設定されている際に、前記検知手段により前記表示部と前記撮像部が前記特定の位置関係でないことが検知されると、前記所定の撮影モードに設定された要因が前記検知手段により前記表示部と前記撮像部が前記特定の位置関係であることが検知されたことに基づくものであった場合は、前記所定の撮影モードを終了し、前記所定の撮影モードに設定された要因が前記撮影モード選択手段により前記所定の撮影モードが選択されたことに基づくものであった場合は、前記所定のモードを終了しないように前記撮影モード設定手段を制御する制御手段とを有することを特徴とする撮像装置。
【請求項２】
前記特定の位置関係とは、前記表示部の表示方向と前記撮像部の撮像方向が同一の被写体に向く位置関係であることを特徴とする請求項１に記載の撮像装置。
【請求項３】
前記特定の位置関係とは、前記表示部と前記撮像部が前記特定の位置関係でない位置から、前記表示部と前記撮像部の上下関係が反転した第二の位置にあるときの位置関係であることを特徴とする請求項１または２に記載の撮像装置。
【請求項４】
前記表示部へのタッチ操作を検出するタッチ検出手段と、
該ショートカットボタンへの所定のタッチ操作が検出されたことに応じて前記所定の撮影モードに設定するショートカットボタンを表示する表示制御手段とをさらに有し、
前記制御手段は、前記表示部と前記撮像部が前記特定の位置関係になった場合に、前記ショートカットボタンを表示するように前記表示制御手段を制御することを特徴とする請求項１乃至３の何れか１項に記載の撮像装置。
【請求項５】
前記所定の撮影モードは、撮影指示をする撮影者自身が被写体となる自撮りモードであることを特徴とする請求項１乃至４の何れか１項に記載の撮像装置。
【請求項６】
撮像している範囲から検出された人物の顔の中から少なくとも１つの顔を主顔として設定する主顔設定手段を更に有し、
前記制御手段は、前記所定の撮影モードでない撮影モードにおいてはユーザのタッチ操作に応じて、該タッチ操作におけるタッチ位置に基づく位置に合焦するように焦点を調節し、前記所定の撮影モードにおいてはユーザのタッチ操作に応じて、該タッチ操作におけるタッチ位置に関わらず前記主顔設定手段により設定された主顔に合焦するよう焦点を調整するように制御することを特徴とする請求項１乃至５の何れか１項に記載の撮像装置。
【請求項７】
前記制御手段は、前記所定の撮影モードにおいては、前記主顔設定手段により設定された主顔に対して、他の被写体にはかけない効果をかけるように制御することを特徴とする請求項６に記載の撮像装置。
【請求項８】
前記主顔設定手段により設定された主顔に対してかける効果は、美肌効果処理または背景ぼかし処理のいずれかであることを特徴とする請求項６または７に記載の撮像装置。
【請求項９】
前記制御手段は、前記所定の撮影モードが終了した要因が前記検知手段により前記表示部と前記撮像部が前記特定の位置関係でないことが検知されたことに基づくものである場合は、前記所定の撮影モードに設定する直前の撮影モードに設定するように前記撮影モード設定手段を制御することを特徴とする請求項１乃至８の何れか１項に記載の撮像装置。
【請求項１０】
前記撮像装置の姿勢を検知する姿勢検知手段をさらに有し、
前記制御手段は、前記姿勢検知手段により検知された前記撮像装置の姿勢に応じて、前記表示部に表示されている前記所定の撮影モードに関する表示アイテムの表示向きを変えるように制御することを特徴とする請求項１乃至９の何れか１項に記載の撮像装置。
【請求項１１】
前記制御手段は、前記撮像部により撮像された画像が前記表示部でない出力先に表示されている場合は、前記表示部と前記撮像部が前記特定の位置関係になったことが検知されたことに基づいて前記所定の撮影モードに設定せず、前記撮影モード選択手段によって前記所定の撮影モードが選択された場合に、前記所定の撮影モードに設定するように前記撮影モード設定手段を制御することを特徴とする請求項１乃至１０の何れか１項に記載の撮像装置。
【請求項１２】
前記制御手段は、前記撮像装置の向きが横向きの場合には、前記所定の撮影モードに関するガイダンスを表示し、前記撮像装置が縦向きの場合には、前記所定の撮影モードに関するガイダンスを表示しないように制御することを特徴とする請求項１乃至１１の何れか１項に記載の撮像装置。
【請求項１３】
前記制御手段は、前記所定の撮影モードでない第二の撮影モードにおいてセルフタイマーが設定された場合は、撮影指示がされたことに応じて撮影開始までの時間に基づく時間表示をせず、前記所定の撮影モードにおいてセルフタイマーが設定された場合は、撮影指示がされたことに応じて撮影開始までの時間に基づく時間表示を前記表示部に表示するように制御することを特徴とする請求項１乃至１２の何れか１項に記載の撮像装置。
【請求項１４】
本体部に対する位置を変更可能な表示部と前記本体部との位置関係を検知する検知手段と、
複数の画像処理モードから画像処理モードを選択する画像処理モード選択手段と、
前記検知手段により、前記表示部と前記本体部が特定の位置関係であることが検知されたことに応じて、または、前記画像処理モード選択手段により所定の画像処理モードが選択されたことに応じて、前記所定の画像処理モードに設定する画像処理モード設定手段と、
前記所定の画像処理モードに設定されている際に、前記検知手段により前記表示部と前記本体部が前記特定の位置関係でないことが検知されると、前記所定の画像処理モードに設定された要因が前記検知手段により前記表示部と前記本体部が前記特定の位置関係であることが検知されたことに基づくものであった場合は、前記所定の画像処理モードを終了し、前記所定の画像処理モードに設定された要因が前記画像処理モード選択手段により前記所定の画像処理モードが選択されたことに基づくものであった場合は、前記所定の画像処理モードを終了しないように前記画像処理モード設定手段を制御する制御手段とを有することを特徴とする画像処理装置。
【請求項１５】
撮像部に対する位置を変更可能な表示部と前記撮像部との位置関係を検知する検知ステップと、
複数の撮影モードから撮影モードを選択する撮影モード選択ステップと、
前記検知ステップにおいて、前記表示部と前記撮像部が特定の位置関係であることが検知されたことに応じて、または、前記撮影モード選択ステップにおいて所定の撮影モードが選択されたことに応じて、前記所定の撮影モードに設定する撮影モード設定ステップと、
前記所定の撮影モードに設定されている際に、前記検知ステップにおいて前記表示部と前記撮像部が前記特定の位置関係でないことが検知されると、前記所定の撮影モードに設定された要因が前記検知ステップにおいて前記表示部と前記撮像部が前記特定の位置関係であることが検知されたことに基づくものであった場合は、前記所定の撮影モードを終了し、前記所定の撮影モードに設定された要因が前記撮影モード選択ステップにおいて前記所定の撮影モードが選択されたことに基づくものであった場合は、前記所定のモードを終了しないように制御する制御ステップとを有することを特徴とする撮像装置の制御方法。
【請求項１６】
本体部に対する位置を変更可能な表示部と前記本体部との位置関係を検知する検知ステップと、
複数の画像処理モードから画像処理モードを選択する画像処理モード選択ステップと、
前記検知ステップにおいて、前記表示部と前記本体部が特定の位置関係であることが検知されたことに応じて、または、前記画像処理モード選択ステップにおいて所定の画像処理モードが選択されたことに応じて、前記所定の画像処理モードに設定する画像処理モード設定ステップと、
前記所定の画像処理モードに設定されている際に、前記検知ステップにおいて前記表示部と前記本体部が前記特定の位置関係でないことが検知されると、前記所定の画像処理モードに設定された要因が前記検知ステップにおいて前記表示部と前記本体部が前記特定の位置関係であることが検知されたことに基づくものであった場合は、前記所定の画像処理モードを終了し、前記所定の画像処理モードに設定された要因が前記画像処理モード選択ステップにおいて前記所定の画像処理モードが選択されたことに基づくものであった場合は、前記所定の画像処理モードを終了しないように制御する制御ステップとを有することを特徴とする画像処理装置の制御方法。
【請求項１７】
コンピュータを、請求項１乃至１４のいずれか１項に記載された装置の各手段として機能させるためのプログラム。
【請求項１８】
コンピュータを、請求項１乃至１４のいずれか１項に記載された装置の各手段として機能させるためのプログラムを格納したコンピュータが読み取り可能な記録媒体。
【発明の詳細な説明】
【技術分野】
【０００１】
本発明は、本体部に対して回転可能な表示部を有する装置に関する。
【背景技術】
【０００２】
撮像した画像を表示可能な表示部が撮像部に対して回転可能に設けられており、回転により撮影者側からもレンズ側からも表示部を確認できるような撮像装置がある。撮影者自身が被写体となり撮影を行う自撮りを行う際には、回転可能なモニタ部に設けられている表示部を被写体側（及び撮影者）に向けることで、被写体自身で写り具合を確認することができる。また、人物被写体をよりきれいに撮影するのに適した設定をすることができる自撮りモードがある。特許文献１では、撮像部の撮影方向が撮影者側になるとポートレート撮影モードの設定に基づいて撮影を行い、撮像部の撮影方向が撮影者ではない被写体側になると通常の撮影モードの設定に基づいて撮影を行うことが開示されている。特許文献２では、画像を表示するパネルを反転して撮像装置内に収納する、または、お絵かきモードを選択すると、お絵かきモードが開始することが開示されている。さらに、お絵かきモードの終了方法は、お絵かきモード終了ボタンを選択するか、パネルを戻すかのどちらか一方であることが開示されている。
【先行技術文献】
【特許文献】
【０００３】
【特許文献１】特開２００５−２１５５４３号公報
【特許文献２】特開２０１２−１２４６１２号公報
【発明の概要】
【発明が解決しようとする課題】
【０００４】
自撮りモードは、モニタ部を反転した（表示部を撮影者自身にむけた）状態で撮影する主に自撮りで使用される場合と、モニタ部を反転せずに人物被写体をきれいに撮るために使用される場合がある。特許文献１では、モニタ部が反転し被写体に向いているときのみ自撮りモードになる。よって、モニタ部を反転していない状態に戻すと自撮りモードが終了してしまうため、ユーザはモニタ部を反転していない状態では自撮りモードで撮影できない。仮に、特許文献２のお絵かきモードのようなモード遷移を自撮りモードに応用した場合、終了ボタンを選択して自撮りモードを終了する際には、モニタ部を反転していない状態でも自撮りモードが終了せず、ユーザは自撮りモードで撮影できる。しかし、ユーザがモニタ部を反転した状態のみで自撮りモードでの撮影を行いたい場合においては、モニタ部の反転を戻しても自撮りモードが終了しないので、ユーザは自撮りモードを終了する操作をする必要がある。また、モニタ部を戻す操作に応じて自撮りモードを終了する際には、モニタ部を戻す操作を行う度に、自撮りモードが終了する。よって、モニタ部を反転していない状態でも自撮りモードの撮影を行いたい場合には、モニタ部の反転を戻す度に、再び自撮りモードを選択する必要がある。よって、モニタ部を反転して撮影する場合と、反転せずに撮影をする場合がある撮影モードにおいては、該撮影モードへの設定もしくは解除をする際に、所望の撮影モードに設定するためのユーザの操作数が多くなることがあった。
【０００５】
本発明は、上記の課題に鑑み、本体部に対して回転可能なモニタ部に設けられた表示部を有する装置において、動作モードを所定の動作モードへ設定する操作と終了する操作の操作性を向上させることを目的とする。
【課題を解決するための手段】
【０００６】
上記目的を達成するために、本発明は、撮像部に対する位置を変更可能な表示部と前記撮像部との位置関係を検知する検知手段と、複数の撮影モードから撮影モードを選択する撮影モード選択手段と、前記検知手段により、前記表示部と前記撮像部が特定の位置関係であることが検知されたことに応じて、または、前記撮影モード選択手段により所定の撮影モードが選択されたことに応じて、前記所定の撮影モードに設定する撮影モード設定手段と、前記所定の撮影モードに設定されている際に、前記検知手段により前記表示部と前記撮像部が前記特定の位置関係でないことが検知されると、前記所定の撮影モードに設定された要因が前記検知手段により前記表示部と前記撮像部が前記特定の位置関係であることが検知されたことに基づくものであった場合は、前記所定の撮影モードを終了し、前記所定の撮影モードに設定された要因が前記撮影モード選択手段により前記所定の撮影モードが選択されたことに基づくものであった場合は、前記所定のモードを終了しないように前記撮影モード設定手段を制御する制御手段とを有することを特徴とする。
【発明の効果】
【０００７】
本発明によれば、本体部に対して回転可能なモニタ部に設けられた表示部を有する装置において、動作モードを所定の動作モードへ設定する操作と終了する操作の操作性を向上させることができる。
【図面の簡単な説明】
【０００８】
【図１】本実施形態の構成を適用可能な装置の一例としてのデジタルカメラ１００の外観図。
【図２】本実施形態の構成を適用可能な装置の一例としてのデジタルカメラ１００の構成例を示すブロック図。
【図３】本実施形態の撮影モードのフローチャート。
【図４】本実施形態の自撮りモードのフローチャート。
【図５】本実施形態の自撮り設定のフローチャート。
【図６】本実施形態の自撮りモード撮影のフローチャート。
【図７】（ａ）本実施形態におけるバリアングルモニタ部１１１が収納されている場合の表示部の表示例を示す図、（ｂ）本実施形態におけるバリアングルモニタ部１１１が反転している場合の表示部の表示例を示す図、（ｃ）モード選択画面の表示例を示す図。
【図８】（ａ）本実施形態における自撮り設定を行う場合の表示部の表示例を示す図、（ｂ）本実施形態における自撮り設定のうちの効果設定を行う場合の表示部の表示例を示す図、（ｃ）本実施形態における自撮り設定のうちのセルフタイマー設定を行う場合の表示部の表示例を示す図。
【図９】本実施形態の構成を適用可能な装置の一例としてのノートＰＣ３００の外観図。
【発明を実施するための形態】
【０００９】
以下、図面を参照して本発明の好適な実施形態を説明する。
【００１０】
＜第１実施形態＞
図１は本発明の撮像装置の一例としてのデジタルカメラ１００を示す外観図である。バリアングルモニタ部１１１（モニタ部）は、デジタルカメラ１００にその一辺を回転軸１１１ａとして回転可能（デジタルカメラ１００に対する位置を変更可能）に取り付けられており、表示部２８を有している。図１（ａ）はデジタルカメラ１００のバリアングルモニタ部１１１（表示部２８を含む）がデジタルカメラ１００に収納されている状態を示す（回転角度０度）外観図である。図１（ｂ）のデジタルカメラ１００は、バリアングルモニタ部１１１（表示部２８を含む）の回転の様子（デジタルカメラ１００におけるバリアングルモニタ部１１１と撮像部２２の位置関係の変化）を示している。また、図１（ｃ）のデジタルカメラ１００、（ｄ）のデジタルカメラ１００、（ｅ）のデジタルカメラ１００はデジタルカメラの向きを示すための外観図である。図２は本発明の撮像装置または撮像装置の一例としてのデジタルカメラ１００の構成例を示すブロック図である。
【００１１】
操作部７０はユーザからの各種操作を受け付ける各種スイッチ、ボタン、タッチパネル７０ａ等の操作部材より成る操作部である。タッチパネル７０ａは、タッチ操作を検知可能な操作部材である。コントローラホイール７３は操作部７０に含まれる回転操作可能な操作部材である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。蓋２０２は記録媒体スロット２０１の蓋である。図においては、蓋２０２を開けて記録媒体スロット２０１から記録媒体２００の一部を取り出して露出させた状態を示している。
【００１２】
コネクタ１１３はＨＤＭＩ（登録商標）等のコネクタであり、例えばＰＣ、スクリーン、外部の表示パネル、プリンタ等と接続する接続ケーブルとデジタルカメラ１００に接続する。
【００１３】
図１（ｂ）のデジタルカメラ１００において、ｋ１はバリアングルモニタ部１１１がデジタルカメラ１００に収納されている状態（回転角度０度）を示している。さらに、ｋ２はバリアングルモニタ部１１１がｋ１の状態から９０度回転した状態を示しており、ｋ３はバリアングルモニタ部１１１がｋ１の状態から１８０度回転した状態（バリアングルモニタ部１１１と撮像部２２の上下関係が反転）を示している。図１（ｂ）においては、バリアングルモニタ部の回転の様子を示すために３つの角度の場合のバリアングルモニタ部１１１を１つのデジタルカメラ１００に全て示しているが、実際には、バリアングルモニタ部１１１は回転可能な位置のいずれかの位置にある。バリアングルモニタ部１１１の回転角度０度の場合には、撮像方向と表示部２８の表示方向は異なり、撮像方向を観察する撮影者側からは表示部２８の表示を確認することができるが、撮像方向にいる被写体側からは確認することができない。また、バリアングルモニタ部１１１の回転角度１８０度の場合には、撮像方向と表示部２８の表示方向は同じであり、撮像方向にいる被写体側から表示部２８の表示を確認することができる。バリアングルモニタ部１１１は０度から１８０度以上の範囲で回転可能である。バリアングルモニタ部１１１の回転角度は以後、バリアングルモニタ部１１１がデジタルカメラ１００に収納されている状態を回転角度０度として、反転している状態を１８０度として図１（ｂ）に示す矢印ｄ１を回転の正方向として説明する。
【００１４】
バリア１０２、撮像レンズ１０３、撮像部２２は本体部１１２側に設けられている。デジタルカメラ１００は、撮像部２２を含む本体部１１２とバリアングルモニタ部１１１を含む。また、ストロボ５７は被写体を照射するために用いられ、撮像部２２と同一の方向を向いている。
【００１５】
モード切替スイッチ６０、シャッターボタン６１、操作部７０はシステム制御部５０に各種の動作指示を入力するための操作手段である。モード切替スイッチ６０は、システム制御部５０の動作モードを、通常モード、シーンモードといった撮影モードのいずれかに切り替える（撮影モード選択をする）ための操作部である。モード切替スイッチ６０で、これらのモードのいずれかに直接切り替えられる（撮影モード設定される）。あるいは、メニュー画面に一旦切り換えた後に、メニューに含まれるこれらのモードのいずれかに、他の操作部材を用いて切り替えるようにしてもよい。シャッターボタン６１は撮影指示を行うための操作部である。
【００１６】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮像レンズ１０３を含む撮像系を覆うことにより、撮像レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理（合焦処理、焦点調節処理）、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画や所定時間の動画像および音声を格納するのに十分な記録容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー画像の表示）を行える。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２１】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。
【００２３】
回転検知部１１４は、バリアングルモニタ部１１１の本体部１１２に対する回転角度を検知するものであり、上述したバリアングルモニタ部１１１の回転角度を検知する角度検出部である。
【００２４】
外部Ｉ／Ｆ５４は、外部機器とコネクタ１１３につながった有線ケーブルや無線を介して接続し、映像信号や音声信号の入出力を行うため、外部機器やインターネット等と通信し、ファイルやコマンド等の各種データの送受信を行うためのインターフェースである。また、デジタルカメラ１００で撮像された画像を表示部２８ではなく、外部Ｉ／Ｆ５４を介して外部の機器に表示させることもできる。
【００２５】
第一シャッタースイッチ６２は、デジタルカメラ１００に設けられたシャッターボタン６１の操作途中、いわゆる半押し（撮影準備指示）でＯＮとなり第一シャッタースイッチ信号ＳＷ１を発生する。第一シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第二シャッタースイッチ６４は、シャッターボタン６１の操作完了、いわゆる全押し（撮影指示）でＯＮとなり、第二シャッタースイッチ信号ＳＷ２を発生する。システム制御部５０は、第二シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２８】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７０ａへの以下の操作、あるいは状態を検出できる（タッチ検出）。タッチパネル７０ａにタッチしていなかった指やペンが新たにタッチパネルにタッチしたこと、すなわち、タッチの開始（以下、タッチダウン（Ｔｏｕｃｈ−Ｄｏｗｎ）と称する）を検出する。これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのような操作が行なわれたかを判定する。
【００２９】
タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００３２】
姿勢検知部５５は重力方向に対するデジタルカメラ１００の姿勢を検知する。また、検知された姿勢に応じて、表示部２８での表示を切り替えることもできる。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、デジタルカメラ１００の姿勢に応じた向きに画像を回転して記録することが可能である。また、再生時に撮影時のデジタルカメラ１００の姿勢に応じて、撮影した画像を見やすいような向きにして表示することもできる。姿勢検知部５５としては、加速度センサーやジャイロセンサーなどを用いることができる。
【００３３】
上述したデジタルカメラ１００では中央１点ＡＦや顔ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。
【００３４】
顔検出機能について説明する。システム制御部５０は顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判定し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数などの特徴量をシステムメモリ５２に記録する。また、顔検出においては、撮影範囲内において検出した顔のうち、中心にある、または、撮影範囲を占める割合が大きいといった顔を主顔として検出する主顔検出（主顔設定）も行うことができる。主顔検出は、ユーザが主要な顔として撮影したいとしている顔を検出するためのものであり、検出した主顔に合わせて、ＡＦ（顔ＡＦ）をしたり、ホワイトバランスの調整（顔ＷＢ）や美肌効果といった効果をかけることができる。
【００３５】
以上のようにライブビュー表示あるいは再生表示される画像データを画像解析して、画像データの特徴量を抽出して被写体情報を検出することが可能である。本実施形態では被写体情報として顔情報を例に挙げたが、被写体情報には他にも赤目判定や目の検出、目つむり検出、笑顔検出等の様々な情報がある。
【００３６】
なお、顔ＡＦと同時に顔ＡＥ、顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。美肌効果とは、設定された美肌の強さに応じて、肌をなめらかにして、きれいにみえるようにする効果である。美肌効果をかける美肌処理では、顔を検出すると目、鼻、口が含まれる範囲を検出し、検出した範囲の中のＹＵＶの値を取得する。算出したＹを低活化することで肌領域が平滑化され、しわ等を目立たなくする（しわ等の凸凹をぼかす）ことができる。また、ＵＶの値を平均化し、平均化した色で肌部分を塗るようにすることで肌の色ムラが小さくなる。
【００３７】
図３の撮影モードのフローを図７の表示例を用いて説明する。撮影モードのフローは、デジタルカメラ１００に電源が入り、撮像部２２が撮像を行い、撮像した画像が表示部２８に表示されると開始する。
【００３８】
本実施形態において説明する自分撮り（自撮り）とは、デジタルカメラ１００を撮影者自身が被写体となり、撮像レンズ１０３を撮影者自身に向けた状態で撮影指示をして撮影を行うことである。このとき、バリアングルモニタ部１１１が収納された状態で、撮影者（被写体）の顔を含めて撮影をする場合には、撮像方向にいる撮影者から表示部２８は見えないため、撮影者は撮影されている範囲や自分自身が写る様子を確認することができない。バリアングルモニタ部１１１が反転した場合には、撮像レンズ１０３が撮影者（被写体）の顔に向けられた状態で、表示部２８に表示される自身の姿（撮影範囲の様子）を確認できる。このように、バリアングルモニタ部１１１が反転している時は、撮像方向と表示部２８の表示方向が同一の被写体に向いており、自撮りを行いやすい。
【００３９】
自撮りモード（自分撮りモード、セルフポートレートモード、セルフィモード等）とは、人物被写体をよりきれいに撮影するのに適した撮影モードである。自撮りモードでは、検出した主顔に対して、撮影者（被写体）自身の顔に、肌がよりきれいにみえるような効果をかけたり、明るさを調整したり、人物の顔が引き立つように背景をぼかしたりすることができる。また、例えば、大人数での撮影を行う際に、バリアングルモニタ部１１１を反転し、自撮りモードでセルフタイマーを設定すると、被写体自身で撮影範囲を確認でき、さらに表示部２８に表示される撮影までの時間に基づき、撮影の準備をすることができる。また、例えば、被写体と撮影者が同一でなくても、人物被写体をより美しく撮影しようとする場合に、自撮りモードで撮影を行うと、検出した主顔に対して美肌効果や明るさ設定といったよりきれいに被写体を写すための効果をかけることができる。自撮りモードは、上述のように人物被写体を撮影するのに特化した機能を有する撮影モードであり、自撮りにも適しているし、自撮りでないような場合にも人物被写体をきれいに撮影したい場合に適している撮影モードである。
【００４０】
図７（ａ）には、バリアングルモニタ部１１１を収納している状態、かつ、自撮りモードでないプログラムモードに設定されている場合の表示部２８での表示例を示している。図７（ｂ）には、図７（ａ）の状態からバリアングルモニタ部１１１を反転した場合の表示部２８での表示例を示している。また、図７（ａ）、（ｂ）の左側にはバリアングルモニタ部１１１の回転角度と回転角度に応じた表示部２８での表示例を示した図を、右側には左側に示される表示部２８を拡大した図を示している。図７（ｃ）には、モード切替スイッチ６０でシーンモードを選択した場合に、さらに撮影モードを選択するモード選択画面７０５を示している。
【００４１】
図３の撮影モード処理は、デジタルカメラ１００に電源が入り、撮像部２２での撮像が行われ始めると開始する。この処理は、不揮発性メモリ５６に記録されたプログラムをシステムメモリ５２に展開してシステム制御部５０が実行することで実現する。
【００４２】
Ｓ３０１では、システム制御部５０は、図７（ａ）に示すように表示部２８にライブビュー画像７０４を表示する。このとき、現在設定中の撮影モードを示す撮影モード表示（図７においては、プログラムモード表示７０１）や動画ボタン７０２等の撮影に関する表示も同時に行う。このとき、電源を入れた時すでに、バリアングルモニタ部１１１の回転角度が１８０度であった場合には、Ｓ３０９へ進む。
【００４３】
Ｓ３０２では、システム制御部５０は、現在シーンモードが設定されているか否かを判定する。シーンモードが設定されていると判定した場合には、Ｓ３０３へ進み、そうでない場合はＳ３１７へ進む。
【００４４】
Ｓ３０３では、システム制御部５０は、現在自分撮りモード（自撮りモード）が設定されているか否かを判定する。自撮りモードが設定されたと判定した場合には、Ｓ３０４へ進み、そうでない場合は、Ｓ３０６へ進む。
【００４５】
Ｓ３０４では、システム制御部５０は、ショートカットフラグをＯＦＦにし、システムメモリ５２にショートカットフラグがＯＦＦになったことを記録する。
【００４６】
Ｓ３０５では、システム制御部５０は、自撮りモードの処理を行う。自撮りモードについては、図４において後述する。
【００４７】
Ｓ３０６では、システム制御部５０は、回転検知部１１４の出力に基づいてバリアングルモニタ部１１１の角度が１８０度であるか（反転しているか）否かを判定する。１８０度であると判定した場合には、Ｓ３０７へ進み、そうでない場合は、Ｓ３１５へ進む。
【００４８】
Ｓ３０７では、システム制御部５０は、撮像部２２において撮像した画像を含む撮像装置からの画像の出力先（表示先）が本体部１１２に含まれる表示部２８であるか否かを判定する。表示部２８である場合には、Ｓ３０８へ進み、そうでない場合は、Ｓ３１５へ進む。その他の出力先としては、外部Ｉ／Ｆ５４を介して接続されたパソコンのパネル画面やテレビ画面等のデジタルカメラ１００外の画面やパネルがある。
【００４９】
Ｓ３０８では、システム制御部５０は、表示部２８の表示を図７（ｂ）の反転表示７０７に示すように表示する。反転表示とは、プログラムモード表示７０１、動画ボタン７０２等の画面表示を上下左右反転表示し、ライブビュー画像７０４を逆さミラー表示することである。ここで、逆さミラー表示とは、もともと表示されていた画像におけるｙ軸を反転するように該画像を表示（上下反転して表示）することである。上下左右反転表示とは、もともと表示されていた画像におけるｘ軸とｙ軸を反転するように該画像を表示することである。バリアングルモニタ部１１１を反転した場合は、反転する前の表示のままだと被写体側（撮像レンズ１０３が向いている側）から見て、表示も反転してしまうため、ライブビュー画像７０４だけでなく、文字や記号が見にくくなる可能性がある。このように反転表示７０７にするとバリアングルモニタ部１１１を反転して（図１（ｂ）のデジタルカメラ１００のｋ３のようにして）、被写体側から表示部２８を確認する際にライブビューや表示部２８にある表示が見やすくなる。
【００５０】
Ｓ３０９では、システム制御部５０は、図７（ｂ）に示すような自撮りショートカットボタン７０３を表示部２８に表示する。自撮りショートカットボタン７０３はタッチボタンであり、タッチパネル７０ａ上で自撮りショートカットボタン７０３へのタッチダウンが検出されると自撮りモードへと移行する。つまり、モード選択画面７０５に進み、自撮りモードを選択する操作を行わなくても、自撮りショートカットボタン７０３をタッチダウンするだけで、容易に自撮りモードへ移行することができる。また、自撮りにおいてバリアングルモニタ部１１１を反転して撮影を行う場合には、バリアングルモニタ部１１１を反転する操作により、ユーザは撮影範囲を確認でき、さらに自撮りモードに容易に設定することができる。このように、ユーザがバリアングルモニタ部１１１を反転した操作に応じて表示された自撮りショートカットボタン７０３をタッチダウンし、自撮りモードに設定した場合には、ユーザは表示部２８を撮影者に向けた状態で自撮りモードで撮影する可能性が高い。つまり、ユーザはバリアングルモニタ部１１１を反転した状態で自撮りモードの撮影を行おうとした可能性が高い。
【００５１】
Ｓ３１０では、システム制御部５０は、撮影指示があったか否かを判定する。撮影指示があったと判定した場合は、Ｓ３１６へ進み、そうでない場合は、Ｓ３１１へ進む。ここで、撮影指示とは、Ｓ３１０時点で設定されている撮影モードにおける撮影を行うための撮影指示のことであり、動画ボタン７０２へのタッチダウンによる動画撮影の指示や、シャッターボタン６１の押下による静止画の撮影指示をいったものを指す。
【００５２】
Ｓ３１１では、システム制御部５０は、Ｓ３０８で表示した自撮りショートカットボタン７０３へのタッチダウンがあったか否かを判定する。タッチダウンがあったと判定した場合は、Ｓ３１２へ進み、そうでない場合は、Ｓ３１０へ戻る。このようにバリアングルモニタ部１１１を反転した後には、自撮りモードへ移行するか、現在の撮影モードでの撮影を行うか、ユーザからのいずれかの指示を待つ。
【００５３】
Ｓ３１２では、システム制御部５０は、自撮りモードに移行し、ショートカットフラグをＯＮにし、システムメモリ５２にショートカットフラグをＯＮにしたことを記録する。ショートカットフラグがＯＮの場合は、バリアングルモニタ部１１１を１８０度回転（反転）させた後に、ショートカットボタン７０３へのタッチダウンにより、自撮りモードに設定したことを示す。つまり、ユーザがバリアングルモニタ部１１１を反転した状態で自撮りモードでの撮影を行おうとした場合には、ショートカットフラグがＯＮになる。
【００５４】
Ｓ３１３では、システム制御部５０は、自撮りモードへ移行する直前の撮影モードをシステムメモリ５２に記録する。
【００５５】
Ｓ３１４では、システム制御部５０は、自撮りモードの処理を行う。自撮りモードの処理については、図４で後述する。
【００５６】
Ｓ３１５では、システム制御部５０は、撮影指示があったか否かを判定する。撮影指示があったと判定した場合は、Ｓ３１６へ進み、そうでない場合は、Ｓ３１８へ進む。ここで、撮影指示とは、Ｓ３１５時点で設定されている撮影モードにおける撮影を行う撮影指示のことであり、動画ボタン７０２へのタッチダウンによる動画撮影の指示や、シャッターボタン６１の押下による静止画の撮影指示をいったものを指す。
【００５７】
Ｓ３１６では、システム制御部５０は、設定中の撮影モードでの撮像部２２より取得した画像を記録媒体２００に画像ファイルとして記録する。
【００５８】
Ｓ３１７では、システム制御部５０は、シーンモード以外の撮影モードの処理を行う。ここでは、詳細は割愛する。
【００５９】
Ｓ３１８では、システム制御部５０は、図７（ｃ）に示すモード選択画面７０５を表示する指示があったか否かを判定する。モード選択画面７０５を表示する指示としては例えばプログラムモード表示７０１などの画面左上に表示された現在のモードを表すタッチアイコンに対するタッチ操作がある。また、モード切替スイッチ６０を操作してシーンモードに設定することでも表示させることができる。モード選択画面７０５の表示指示があったと判定した場合は、Ｓ３１９へ進み、そうでない場合は、Ｓ３２３へ進む。
【００６０】
Ｓ３１９では、システム制御部５０は、モード選択画面７０５を表示部２８に表示する。
【００６１】
Ｓ３２０では、システム制御部５０は、モード選択操作があったか否かを判定する。例えば、モード選択画面に表示された複数のモードのそれぞれに対応するタッチアイコンのいずれかに対するタッチ操作があると、モード選択操作があったと判定する。モード選択操作があったと判定した場合には、Ｓ３２２へ進み、そうでない場合は、Ｓ３２１へ進む。
【００６２】
Ｓ３２１では、システム制御部５０は、モード選択画面７０５を閉じる操作があったか否かを判定する。モード選択画面７０５は、戻るボタン７０８が押下されると閉じる。閉じる操作があったと判定した場合は、Ｓ３２２へ進み、そうでない場合は、Ｓ３２３へ進む。
【００６３】
Ｓ３２２では、システム制御部５０は、選択された撮影モードに設定する。
【００６４】
Ｓ３２３では、システム制御部５０は、撮影モードの終了指示があったか否かを判定する。撮影モードの終了指示とは、再生画面の表示やメニュー画面を表示させる指示のことである。撮影モードの終了指示があったと判定した場合は、撮影モードを終了し、そうでない場合は、Ｓ３０２へ戻る。
【００６５】
次に、図４の自撮りモードのフローを図７、図８の表示例を用いて説明する。図８（ａ）は自撮りモードの際の表示部２８の表示例を示しており、自撮りモード表示８０１は自撮りモード設定中であることを示している。図８（ｂ）は、効果設定を行っている時の表示部２８の表示例を示しており、図８（ｃ）は、セルフタイマーに関する表示をしている時の表示例を示している。また、図８（ａ）−１、−３は、表示部２８が横向き表示の表示例を示したものである。図８（ａ）−２は、表示部２８が縦向き表示の表示例を示したものである。図４は、前述した図３のＳ３０５またはＳ３１４の処理の詳細である。この処理は、不揮発性メモリ５６に記録されたプログラムをシステムメモリ５２に展開してシステム制御部５０が実行することで実現する。
【００６６】
Ｓ４０１では、システム制御部５０は、デジタルカメラ１００の向きが何度であるかを姿勢検知部５５により判定する。デジタルカメラ１００の向きが、０度を含む０度の前後４５度の範囲である場合には０度、９０度を含む９０度の前後４５度の範囲においては９０度であるとする。１８０度を含む１８０度の前後４５度の範囲においては１８０度、２７０度を含む２７０度の前後４５度の範囲においては２７０度であるとする。
【００６７】
Ｓ４０２では、システム制御部５０は、デジタルカメラ１００の向きが、図１（ａ）のデジタルカメラ１００の向き（０度）である場合に、表示部２８に横向き表示（０度の表示）をする。図８（ａ）−１では、ライブビュー画像に重畳して、自撮りモード表示８０１、動画ボタン８０２、効果設定ボタン８０３、背景ぼかしボタン８０４、ストロボボタン８０５、セルフタイマーボタン８０６、タッチシャッターボタン８０７等の表示アイテムを表示する。図８（ａ）−１、−３に示すように横向き表示の場合には、各ボタンの表示をライブビュー画像８１０の下側に横並びに表示する。図８（ａ）−１のように、効果設定ボタン８０３、背景ぼかしボタン８０４、ストロボボタン８０５、セルフタイマーボタン８０６、タッチシャッターボタン８０７を横並びに表示することを横向き表示という。
【００６８】
Ｓ４０３では、システム制御部５０は、デジタルカメラ１００の向きが、図１（ｃ）のデジタルカメラ１００の向き（９０度）である場合に、表示部２８に縦向き表示（９０度の表示）をする。図８（ａ）−２に示すように縦向き表示の場合には、各ボタンの表示をライブビュー画像８１０の左側に縦に並べて表示する。図８（ａ）−２のように、効果設定ボタン８０３、背景ぼかしボタン８０４、ストロボボタン８０５、セルフタイマーボタン８０６、タッチシャッターボタン８０７を縦並びに表示することを縦向き表示という。このように、横向き表示か縦向き表示かにより表示アイテムの表示向きが変わるが、表示位置は変わらず隣り合う表示アイテムは横向き表示でも縦向き表示でも変わらない。デジタルカメラ１００を、０度から９０度に徐々に傾けた場合、Ｓ４０２で述べた０度の横向きの表示から、デジタルカメラ１００の向きが４５度であると判定された場合に、９０度の縦向きの表示へと切り替わる。
【００６９】
Ｓ４０４では、システム制御部５０は、デジタルカメラ１００の向きが、図１（ｄ）のデジタルカメラ１００の向き（１８０度）である場合に、表示部２８に横向き表示（１８０度の表示）をする。０度の表示と１８０度の表示は、ともに横向き表示であり、ライブビュー画像以外の表示アイテムについて、０度の表示を表示部２８上で上下左右反転した表示が１８０度の表示であるである。０度の表示と１８０度の表示はユーザからの見え方は同じである。
【００７０】
Ｓ４０５では、システム制御部５０は、デジタルカメラ１００の向きが、図１（ｅ）のデジタルカメラ１００の向き（２７０度）である場合に、表示部２８に縦向き表示（２７０度の表示）をする。９０度の表示と２７０度の表示は、ともに縦向き表示であるが、ライブビュー画像以外の表示アイテムについて、９０度の表示を表示部２８上上下左右反転した表示が２７０度の表示である。９０度の表示と２７０度の表示はユーザからの見え方は同じである。
【００７１】
Ｓ４０２〜Ｓ４０４で説明したように、各ボタンは、デジタルカメラ１００の向きに応じて、ユーザから見て自撮りモードの設定で使用する表示アイテムを回転（表示向きを変更）して表示部２８に表示する。よって、デジタルカメラ１００の向きに応じて、自撮りモードの設定項目に関する操作を行う表示アイテムの表示向きも変更されるので、デジタルカメラ１００の向きに関わらず、表示アイテムはユーザが読みやすい向きに表示される。また、デジタルカメラ１００の向きを変更された場合に自撮りモードの設定を行う操作性が劣ることを抑制できる。
【００７２】
Ｓ４０６では、システム制御部５０は、Ｓ３１８と同様にモード選択画面の表示指示があったか否かを判定する。表示指示があったと判定した場合は、Ｓ４１５へ進み、そうでない場合は、Ｓ４０７へ進む。
【００７３】
Ｓ４０７では、システム制御部５０は、回転検知部１１４を介してバリアングルモニタ部１１１が反転しているか否かを判定する。反転している（ｋ３の状態）と判定した場合は、Ｓ４０９へ進み、そうでない場合（ｋ１やｋ２の状態）は、Ｓ４０８へ進む。
【００７４】
Ｓ４０８では、システム制御部５０は、システムメモリ５２に記憶されているショートカットフラグがＯＮであるか否かを判定する。つまり、バリアングルモニタ部１１１を反転して、ショートカットボタン７０３へタッチダウンして自撮りモードを開始したのか、モード選択画面７０５から自撮りモードを選択したのかを判定する。ショートカットフラグがＯＮであると判定した場合は、Ｓ４１４へ進み、そうでない場合は、Ｓ４０９へ進む。このように、ユーザがバリアングルモニタ部１１１を反転した状態で自撮りモードの撮影を行おうとしたのか、バリアングルモニタ部１１１の回転角度に関わらず自撮りモードの撮影を行おうとしたのか（自撮りモードに設定された要因）を判定する。
【００７５】
Ｓ４０９では、システム制御部５０は、Ｓ３０８で行ったように、表示部２８の表示を反転表示する。Ｓ４０９に限らず、自撮り設定処理の途中でも、バリアングルモニタ部１１１を反転した場合には、反転表示をする。
【００７６】
Ｓ４１０では、システム制御部５０は、自撮り設定を行う。自撮り設定については、図５で後述する。
【００７７】
Ｓ４１１では、システム制御部５０は、動画ボタン８０２へのタッチダウンがあったか否かを判定する。タッチダウンがあったと判定した場合は、Ｓ４１２へ進み、そうでない場合は、Ｓ４１３へ進む。動画ボタン８０２がタッチダウンされると、動画の撮影が始まる。
【００７８】
Ｓ４１２では、システム制御部５０は、動画撮影を行う。自撮りモードでは、静止画だけでなく動画の撮影も行うことができる。つまり、ユーザはバリアングルモニタ部１１１をユーザ側に向けた状態で動画に写る様子を自身で確認しながら撮影を行うことができる。
【００７９】
Ｓ４１３では、システム制御部５０は、自撮りモード撮影を行う。自撮りモード撮影については図６で後述する。
【００８０】
Ｓ４１４では、システム制御部５０は、撮影モードをＳ３１２において自撮りモードへ移行する前の撮影モードとして、システムメモリ５２に記録された撮影モードに設定する。
【００８１】
Ｓ４１５では、システム制御部５０は、Ｓ３１９と同様にモード選択画面７０５を表示部２８に表示する。
【００８２】
Ｓ４１６では、システム制御部５０は、Ｓ３２０と同様にモード選択操作があったか否かを判定する。モード選択操作があったと判定した場合には、Ｓ４１８へ進み、そうでない場合は、Ｓ４１７へ進む。
【００８３】
Ｓ４１７では、システム制御部５０は、Ｓ３２１と同様にモード選択画面７０５を閉じる操作があったか否かを判定する。モード選択画面７０５は、戻るボタン７０８が押下されると閉じる。閉じる操作があったと判定した場合は、Ｓ４０１へ戻り、そうでない場合は、Ｓ４１６へ戻る。
【００８４】
Ｓ４１８では、システム制御部５０は、Ｓ３２２と同様に選択された撮影モードに設定する。
【００８５】
このように、自撮りモード中にバリアングルモニタ部１１１を反転（１８０度に回転）した状態から収納状態（０度の方向）またはｋ２の状態（９０度の方向）へ戻した際に、ショートカットフラグがＯＮの場合は自撮りモードを抜けて、元のモードに戻る。また、ショートカットフラグがＯＦＦの場合は、自撮りモードのまま変わらない。
【００８６】
自撮りモードでの撮影の一部には、バリアングルモニタ部１１１を反転させた状態で自撮り等を行う場合と、バリアングルモニタ部１１１を反転しない状態で（もしくは回転角度に関わらず）自撮りモードでの撮影（自撮りモード撮影）を行う場合がある。どちらの場合にも自撮りモード特有の人物被写体をよりきれいに撮影する機能を使用して撮影をする（自撮り含む）ことができる。本実施形態では、バリアングルモニタ部１１１を反転させた操作に応じて自撮りモードに設定した後に、バリアングルモニタ部１１１を０度の方に戻す操作を行うと、自撮りモードが終了する。また、バリアングルモニタ部１１１を反転する操作と自撮りショートカットボタン７０３へのタッチダウンにより、自撮りモードに設定する場合には、操作数が少なく、また容易に自撮りモードへの撮影を始めることができる。さらに、バリアングルモニタ部１１１の反転を戻す操作に応じて自撮りモードを終了し元のモードに戻るので、バリアングルモニタ部１１１を反転した状態で自撮りモードでの撮影を行おうとしたユーザは、自撮りモードを終了するための操作を特別に行う必要がない。以上のように、バリアングルモニタ部１１１を反転した状態で、ユーザが自撮りモードでの撮影を行う場合には、操作性良く自撮りモードへの設定と終了を行うことができる。
【００８７】
一方、モード選択画面７０５において自撮りモードに設定することができるので、ユーザはバリアングルモニタ部１１１を反転せずに（回転角度に関わらず）、自撮りモードでの撮影を行いたい場合にも自撮りモードに設定することができる。この場合、ユーザがバリアングルモニタ部１１１の反転を戻す度に自撮りモードが終了すると、自撮りモードに再び設定するためには、ユーザはモード選択画面７０５で撮影モードを設定し直す必要がある。しかし、モード選択画面７０５において自撮りモードに設定した場合には、バリアングルモニタ部１１１の反転を戻しても自撮りモードが終了しないので設定をし直す必要がなく、ユーザが自撮りモードを終了したい時に終了することができる。以上のように、モード選択画面７０５で自撮りモードに設定した場合は、モード選択画面７０５で他の撮影モードに設定しない限り、バリアングルモニタ部１１１を回転しても、ユーザの意図に反して自撮りモードが終了せず、自撮りモードでの撮影を継続できる。
【００８８】
よって、本実施形態によれば、ユーザの意図に反して自撮りモードが終了する可能性が低減され、自撮りモードを終了する際の操作性が向上する。
【００８９】
なお、自撮りショートカットボタン７０３を設けなくても、バリアングルモニタ部１１１が反転したことに応じて、すぐに自撮りモードに移行してもよい。
【００９０】
次に、図５の自撮り設定のフローを図８の表示例を用いて説明する。自撮り設定のフローは、図４のＳ４０８に進むと開始する。以下のフローでは、Ｓ４０１〜Ｓ４０５の処理については説明しないが、撮影待機中（撮像を行っていない時）には、Ｓ４０１と同様にデジタルカメラ１００の向きを判定し、判定した向きに応じてライブビュー画像や表示アイテムの表示を切り替える。図５は、前述したＳ４１０の処理の詳細である。この処理は、不揮発性メモリ５６に記録されたプログラムをシステムメモリ５２に展開してシステム制御部５０が実行することで実現する。
【００９１】
Ｓ５０１では、システム制御部５０は、図８（ａ）に示す効果設定ボタン８０３へのタッチダウンがあったか否かを判定する。効果設定ボタン８０３へのタッチダウンがあったと判定した場合は、Ｓ５０２へ進み、そうでない場合は、Ｓ５０７へ進む。効果設定には、美肌設定と明るさ設定が含まれる。
【００９２】
Ｓ５０２では、システム制御部５０は、図８（ｂ）に示すような効果設定画面８０８において美肌設定のバー８０８ａが操作されたか否かを判定する。美肌設定のバー８０８ａが操作されたと判定した場合には、Ｓ５０３へ進み、そうでない場合は、Ｓ５０４へ進む。図８（ｂ）のガイダンス表示８０９は、美肌効果に関するガイダンスを示しており、美肌設定の操作中に表示部２８に表示される。ただし、図８（ｂ）−２のようにデジタルカメラ１００が縦向きの場合には、ガイダンス表示８０９は表示されない。また、ガイダンス表示は、美肌効果だけでなく、明るさ設定の操作中にも明るさ設定に関するガイダンスが表示される。美肌設定は、撮像範囲にある顔のうち、主に自撮りモードでの効果を付与する主顔（主被写体）に対して、美肌効果処理をし、肌がきれいにみえるような画像処理をするための設定である。
【００９３】
Ｓ５０３では、システム制御部５０は、美肌効果の強さをＳ５０２において操作された美肌設定のバー８０８ａのメモリの位置に基づいて設定する。美肌効果の強さは強、中、弱の３段階あり、ユーザは美肌設定のバー８０８ａを操作することで美肌効果の強さを設定することができる。ここで、撮像部２２で取得した画像に設定された美肌効果に基づいて、簡易美肌処理をして表示ライブビュー画像として表示部２８に表示する。表示部２８には、撮像部２２で取得した画像に対して以下の処理で行う、明るさ設定、背景ぼかし設定、ストロボ設定に基づいた処理を行ったうえでライブビュー画像として表示をする。
【００９４】
Ｓ５０４では、システム制御部５０は、図８（ｂ）に示すような効果設定画面８０８において明るさ設定のバー８０８ｂが操作されたか否かを判定する。明るさ設定のバー８０８ｂが操作されたと判定した場合には、Ｓ５０５へ進み、そうでない場合は、Ｓ５０６へ進む。明るさ設定は、撮像範囲の全体に対して、露出補正と調光補正を行い、明るさを変更する設定である。
【００９５】
Ｓ５０５では、システム制御部５０は、明るさをＳ５０４において操作された明るさ設定のバー８０８ｂのメモリの位置に基づいて選択する。明るさは５段階あり、設定に応じて撮影時に露出補正と調光補正を行う。このとき、設定された明るさに基づいて露出値及び調光値をシステムメモリ５２に記録し、撮像部２２及び画像処理部２４に対して補正値を適用するように制御することで表示部２８に明るさ設定が反映された画像を表示させる。
【００９６】
Ｓ５０６では、システム制御部５０は、図８（ｂ）に示す戻るボタン８１１へのタッチダウンがあったか否かを判定する。タッチダウンがあったと判定した場合は、Ｓ５０７へ進み、そうでない場合は、Ｓ５０２に戻る。
【００９７】
Ｓ５０７では、システム制御部５０は、図８（ａ）の背景ぼかしボタン８０４または８１３へのタッチダウンがあったか否かを判定する。タッチダウンがあったと判定した場合は、Ｓ５０８へ進み、そうでない場合は、Ｓ５０９へ進む。背景ぼかし設定は、主顔が強調されるよう、撮影範囲の中の主顔以外の領域をぼかすような加工をする設定である。
【００９８】
Ｓ５０８では、システム制御部５０は、背景ぼかし設定をＳ５０７時点でオートであった場合にはＯＦＦに、ＯＦＦであった場合はオートに、切替える。背景ぼかしボタン８０４は、背景ぼかしがオートの状態を示しており、背景ぼかしがＯＦＦに設定された場合には、背景ぼかしボタン８１３に示すような背景ぼかしがＯＦＦであることを示す表示に切り替わる。また、背景ぼかしがオートの時に、図８（ａ）−１の背景ぼかしボタン８０４へのタッチダウンが検出された場合には、背景ぼかし設定がＯＦＦになったガイダンス（不図示）をライブビュー画像８１０に重畳して、表示部２８に表示する。同様に、背景ぼかし設定がＯＦＦの時に、図８（ａ）−３の背景ぼかしボタン８１３へのタッチダウンが検出された場合には、背景ぼかし設定がオートになったガイダンス（不図示）を表示する。デジタルカメラ１００の向きが横向きのときのみに、これらのガイダンスを表示するものとする。ストロボ設定、タッチシャッター設定についても、デジタルカメラ１００が横向きの場合には、同様に２つの設定のうちどちらに設定が切り替えられたかのガイダンスを表示する。また、デジタルカメラ１００の向きに関わらず、どちらの設定になっているのかを示すように背景ぼかしボタン８０４と８１３の表示を切り替える。ここで、背景ぼかし設定がオートにされた場合には、撮像部２２で取得した画像に対して簡易的に背景ぼかし処理を行ってライブビュー画像として表示部２８に表示する。簡易的な背景ぼかし処理とは、主顔以外の領域がぼけるような画像処理を行う処理である。背景ぼかし設定がＯＦＦにされた場合には、撮像部２２で取得した画像に対して行っていた簡易的な背景ぼかし処理を行わずにライブビュー画像を表示する。
【００９９】
Ｓ５０９では、システム制御部５０は、図８（ａ）のセルフタイマーボタン８０６へのタッチダウンがあったか否かを判定する。タッチダウンがあったと判定した場合は、Ｓ５１０へ進み、そうでない場合は、Ｓ５１１へ進む。
【０１００】
Ｓ５１０では、システム制御部５０は、図８（ｃ）−１に示すセルフタイマー設定画面８２１において、セルフタイマーを設定する。セルフタイマーは、ＯＦＦ（０秒）、２秒、１０秒のいずれかから選択される。また、デジタルカメラ１００の表示言語として設定されている言語によっては、鳴き声シャッター設定があり、撮影を行う合図をユーザにする際に、動物の鳴き声を発する設定を行うことができる。図８（ｃ）−１は、鳴き声シャッターボタン８１９にフォーカスがあたっている（選択された）場合の表示部２８での表示例を示している。このとき、デジタルカメラ１００が横向きである場合には、鳴き声シャッターに関する説明を示すガイダンス８２０を表示する。また、鳴き声シャッターの設定中に、消音の設定がされた場合はアイコンを差し替えて音が出ない旨をユーザに知らせる。また、セルフタイマーＯＦＦボタン８１６、２秒ボタン８１７、１０秒ボタン８１８が設定された場合は、図８（ａ）−１のセルフタイマーボタン８０６を各ボタン（図８（ｃ）−１のボタン８１６〜８１９）の表示に切り替える。
【０１０１】
Ｓ５１１では、システム制御部５０は、図８（ａ）に示すストロボボタン８０５または８１４へのタッチダウンがあったか否かを判定する。タッチダウンがあったと判定した場合は、Ｓ５１２へ進み、そうでない場合は、Ｓ５１５へ進む。
【０１０２】
Ｓ５１２では、システム制御部５０は、ストロボ設定がＳ５１１時点でＯＮであった場合にはＯＦＦに、ＯＦＦであった場合にはＯＮに切り替える。ストロボボタン８０５は、ストロボ設定がＯＦＦの状態を示しており、ストロボ設定がＯＮに設定された場合には、ストロボボタン８１４に示すようなストロボ設定がＯＮであることを示す表示に切り替わる。また、ストロボ設定がＯＦＦの時に、図８（ａ）−１のストロボボタン８０５へのタッチダウンが検出された場合には、図８（ａ）−３に示すストロボ設定がＯＮになったガイダンス８２５をライブビュー画像８１０に重畳して、表示部２８に表示する。同様に、ストロボ設定がＯＮの時に、図８（ａ）−３のストロボボタン８１４へのタッチダウンが検出された場合には、ストロボ設定がＯＦＦになったガイダンス（不図示）を表示する。デジタルカメラ１００の向きが横向きのときのみに、これらのガイダンスを表示するものとする。ストロボ設定が変更された場合は、ストロボのＯＮ、ＯＦＦに応じて、Ｓ５０５で設定された露出値及び調光値を設定し直し、メモリ３２に記録する。システムメモリ５２に記録されている露出値及び調光値は撮影に反映される。
【０１０３】
Ｓ５１３では、システム制御部５０は、Ｓ５１０においてストロボ設定がＯＮになったか否かを判定する。ＯＮになったと判定した場合は、Ｓ５１４へ進み、そうでない場合は、Ｓ５１５へ進む。ストロボ５７が収納式のストロボである場合には、ストロボがＯＮに設定されたことに応じて、被写体に光を照射できるように、ストロボ５７を収納されていた位置からデジタルカメラ１００本体の外側に出してもよい。
【０１０４】
Ｓ５１４では、システム制御部５０は、背景ぼかし設定をＯＦＦにし、背景ぼかしボタン８０４もしくは背景ぼかしボタン８１３をグレーアウトする。ストロボ設定がＯＮになった場合には、もともとの背景ぼかし設定に関わらず背景ぼかしはＯＦＦになり、背景ぼかしの効果を撮像した画像にかけることができない。しかし、ストロボ設定をＯＦＦにすると背景ぼかし設定は有効になり、Ｓ５１１においてストロボ設定がＯＮになったときにもともと設定されていた背景ぼかしの設定が撮像に使われる。ここで、ストロボ設定がＯＮにされた場合には、撮像部２２で取得した画像に対して簡易的な背景ぼかし処理を行わずに、ライブビュー画像として表示部２８に表示する。
【０１０５】
Ｓ５１５では、システム制御部５０は、図８（ａ）に示すタッチシャッターボタン８０７または８１５へのタッチダウンがあったか否かを判定する。タッチダウンがあったと判定した場合は、Ｓ５１６へ進み、そうでない場合は、自撮り設定を終了する。タッチシャッターボタン８０７または８１５は、タッチシャッター設定を行うためのボタンである。
【０１０６】
Ｓ５１６では、システム制御部５０は、タッチシャッター設定がＳ５１５時点で有効であった場合には無効に、無効であった場合には有効に、切り替える。タッチシャッター設定が有効になると、タッチパネル７０ａへのタッチダウンによって撮影が可能になり、無効になるとタッチパネル７０ａへのタッチダウンによっては撮影ができなくなりシャッターボタン６１を押下する操作のみで撮影が可能になる。タッチシャッターボタン８０７は、タッチシャッター設定が有効の状態を示しており、タッチシャッター設定が無効に設定された場合には、タッチシャッターボタン８１５に示すようなタッチシャッター設定が無効であることを示す表示に切り替わる。タッチシャッター設定が無効の時に、図８（ａ）−３のタッチシャッターボタン８１５へのタッチダウンが検出された場合には、図８（ａ）−１のタッチシャッター設定が有効になったガイダンス８２４をライブビュー画像８１０に重畳して表示部２８に表示する。同様に、タッチシャッター設定が有効の時に、図８（ａ）−１のタッチシャッターボタン８０７へのタッチダウンが検出された場合には、タッチシャッター設定が無効になったガイダンス（不図示）をライブビュー画像８１０に重畳して、表示部２８に表示する。これらのガイダンスは、デジタルカメラ１００の向きが横向きのときのみに表示するものとする。
【０１０７】
なお、自撮り設定において、電源を入れた後に変更された設定は不揮発性メモリ５６に記録され、設定後に電源が切られた後に再び電源が入ると、不揮発性メモリ５６に記録されていた設定が適用される。表示部２８には、撮像部２２で取得した画像に、不揮発性メモリ５６に記録されていた設定を反映したライブビュー画像を表示する。
【０１０８】
図６の自撮りモード撮影のフローを図８の表示例を用いて説明する。自撮りモード撮影のフローは、図４のＳ４１３に進むと開始する。ここで、自撮りモード撮影とは、自撮りモードにおける撮影全てを指しており、撮影者が自身を撮影する自撮りではない撮影も含まれる。図６は、前述したＳ４１３の処理の詳細である。この処理は、不揮発性メモリ５６に記録されたプログラムをシステムメモリ５２に展開してシステム制御部５０が実行することで実現する。
【０１０９】
Ｓ６０１では、システム制御部５０は、第一シャッタースイッチ６２が押下されたか否かを判定する。押下されたと判定した場合は、Ｓ６０２へ進み、そうでない場合は、Ｓ６０４へ進む。
【０１１０】
Ｓ６０２では、システム制御部５０は、検出している主顔がある位置にＡＦする位置を確定する。
【０１１１】
Ｓ６０３では、システム制御部５０は、第二シャッタースイッチ６４が押下されたか否かを判定する。押下されたと判定した場合は、Ｓ６０７へ進み、そうでない場合は、図４のＳ４１１へ進む。
【０１１２】
Ｓ６０４では、システム制御部５０は、図８に示すタッチパネル７０ａ上のタッチシャッター領域８２２へのタッチダウンがあったか否かを判定する。タッチシャッターが有効である場合に、タッチダウンがあったと判定した場合は、Ｓ６０５へ進み、そうでない場合は、図４のＳ４１１へ進む。ここで、タッチシャッター領域８２２は、タッチパネル７０ａのうち動画ボタン８０２及び自撮り設定を行うボタン（８０３〜８０７、８１３〜８１５）等を除く領域のことである。タッチシャッター領域８２２へのタッチダウンが検出された場合には、タッチダウンされた位置に関わらず主顔にＡＦして撮影をする。
【０１１３】
Ｓ６０５では、システム制御部５０は、設定されているタッチシャッター設定が有効であるか否かを判定する。タッチシャッター設定が有効であると判定した場合は、Ｓ６０６へ進み、そうでない場合は、図４のＳ４１１へ進む。
【０１１４】
Ｓ６０６では、システム制御部５０は、Ｓ６０２と同様に検出している主顔がある位置にＡＦする位置を確定する。なお、自撮りモードでないプログラムモード等の撮影モードにおいては、タッチシャッターが有効である場合に、タッチダウンが検出されるとタッチダウンした点（タッチ開始位置、タッチ位置）に応じてＡＦする位置を決定する。
【０１１５】
Ｓ６０７では、システム制御部５０は、セルフタイマーが２秒もしくは１０秒の設定時間に設定されているか（撮像指示があってからユーザの設定した所定時間経過後に撮影をするか）否かを判定する。２秒もしくは１０秒の設定時間に設定されていると判定された場合は、Ｓ６０８へ進み、そうでない場合は、Ｓ６０９へ進む。
【０１１６】
Ｓ６０８では、システム制御部５０は、図８（ｃ）−２に示すようにカウントダウンを開始し、１０秒の場合のみカウントダウン表示８１２（時間表示）を行う。縦向き表示であっても横向き表示をする場合にも、ユーザから見て表示部２８の右下にカウントダウン表示８１２がされるようにし、また、２色の色が毎秒ごとに（単位時間当たりで）切り替わるようにする。撮影の２秒前になったらカウントダウン表示８１２は表示しない。セルフタイマーのカウントは、システムタイマー５３により行う。なお、自撮りモードでない撮影モードにおいて、セルフタイマーを使用した場合には、カウントダウン表示は行わず、照明部における点灯頻度や発音部での発音等で撮影開始までの期間をユーザに示す。
【０１１７】
Ｓ６０９では、システム制御部５０は、設定されているストロボ設定がＯＮであるか否かを判定する。ストロボ設定がＯＮであると判定した場合は、Ｓ６２１へ進み、そうでない場合は、Ｓ６１０へ進む。
【０１１８】
Ｓ６１０では、システム制御部５０は、明るさ設定で設定された明るさが撮影に反映されるようにシステムメモリ５２に記録されている露出値を反映して、Ｓ６０２またはＳ６０６において確定された主顔にＡＦして撮影をする。シャッター１０１の絞りと露光する長さを調整することにより、設定された明るさで撮影を行うようにする。
【０１１９】
Ｓ６１１では、システム制御部５０は、Ｓ６１０において撮影された画像をメモリ３２に記録する。
【０１２０】
Ｓ６１２では、システム制御部５０は、背景ぼかし設定がオートに設定されているか否かを判定する。オートに設定されていると判定した場合は、Ｓ６１３へ進み、そうでない場合は、Ｓ６２３へ進む。
【０１２１】
Ｓ６１３では、システム制御部５０は、背景部分（検出されている主顔ではない部分）にＡＦをし直して撮影を行う。ここで、撮影された画像は、Ｓ６１０で撮影された画像から背景を切り出す画像処理を行うために使用され、使用後は不揮発性メモリ５６に記録されずに削除される。
【０１２２】
Ｓ６１４では、システム制御部５０は、Ｓ６１３において背景にＡＦして撮影された画像をメモリ３２に記録する。
【０１２３】
Ｓ６１５では、システム制御部５０は、Ｓ６１１で撮影された主顔にＡＦした画像（１枚目の画像）と、Ｓ６１３で撮影された背景にＡＦした画像（２枚目の画像）を比較して、背景ぼかしが可能であるか否かを判定する。背景ぼかしは、デジタルカメラ１００からみた背景と主顔の距離が両者を区別できるほど十分であって、さらに背景と主顔の色に所定以上の差があると判定された場合に、効果をかけることが可能であると判定される。背景ぼかしの効果をかけることができると判定された場合は、Ｓ６１６へ進み、そうでない場合は、Ｓ６２３へ進む。
【０１２４】
Ｓ６１６では、システム制御部５０は、１枚目の画像と２枚目の画像を比較して、２枚目の画像から背景部分を検出し、背景部分として検出された部分と同じ領域を１枚目の画像から背景として切り出す。本実施形態においては、ユーザの設定に応じて背景部分と主顔部分に切り分けて、それぞれにユーザにより設定された効果をかけて、効果のかかった画像を合成する。
【０１２５】
Ｓ６１７では、システム制御部５０は、Ｓ６１６で切り分けられた主顔部分から顔を検出することができるかを判定する。顔検出できると判定した場合は、Ｓ６１８へ進み、そうでない場合は、Ｓ６２５へ進む。
【０１２６】
Ｓ６１８では、システム制御部５０は、Ｓ６１７で検出された顔に対して設定された美肌効果をかける美肌処理を行う。
【０１２７】
Ｓ６１９では、システム制御部５０は、背景部分に対して背景ぼかし処理を行う。１枚目の画像では、主顔にＡＦされており、背景部分にはＡＦされていないが背景部分をさらにぼかす処理を行うことで主顔として検出された人物の顔を引き立たせた画像になる。
【０１２８】
Ｓ６２０では、システム制御部５０は、Ｓ６１８で得られた人物部分とＳ６１９で得られた背景部分を合成する。
【０１２９】
Ｓ６２１では、システム制御部５０は、明るさ設定で設定された明るさが撮影に反映されるようにシステムメモリ５２に記録されている露出値及び調光値を反映して、Ｓ６０２またはＳ６０６において確定された主顔にＡＦして撮影をする。撮像レンズ１０３の絞りとシャッターの長さを調整し、さらにストロボ５７を発光させて、設定された明るさで撮影を行うようにする。ストロボ５７の発光の大きさは、調光値に応じて決定される。
【０１３０】
Ｓ６２２では、システム制御部５０は、Ｓ６２１において撮影された画像をメモリ３２に記録する。
【０１３１】
Ｓ６２３では、システム制御部５０は、Ｓ６１０またはＳ６２１において撮影された画像から顔を検出することができるかを判定する。顔検出できると判定した場合は、Ｓ６２４へ進み、そうでない場合は、Ｓ６２５へ進む。
【０１３２】
Ｓ６２４では、システム制御部５０は、Ｓ６２３で検出された顔に対して設定された美肌効果をかける美肌処理を行う。
【０１３３】
Ｓ６２５では、システム制御部５０は、Ｓ６２０において合成された画像、またはＳ６２４において美肌処理された画像を不揮発性メモリ５６に記録する。ここで、記録される画像は撮影の開始前に表示部２８に表示しているライブビュー画像８１０とは異なり、ユーザの明るさ設定に応じて撮影され、さらに美肌処理、背景処理の画像処理が行われた画像である。しかし、ライブビュー画像８１０にユーザの設定した効果に基づき、撮像部２２で得た画像に疑似的に設定された効果を反映した画像を表示することで、ユーザは撮影前にどのような画像を得ることができるのかを把握することができる。
【０１３４】
以上、説明した実施形態によれば、ユーザの意図に反して自撮りモードが終了する可能性が低減され、自撮りモードを終了する際の操作性が向上する。バリアングルモニタ部１１１を反転して自分撮りモードを使用した場合には、バリアングルモニタ部１１１を戻せば自撮りモードが終了し、元の撮影モードに設定されるので撮影モードを変更するためだけの操作が必要ない。バリアングルモニタ部１１１を反転せずに撮影を行うときは、モード選択画面７０５で自撮りモードを選択することで、バリアングルモニタ部１１１の角度に関わらず自撮りモードでの撮影を行うことができる。このように、自撮りモードでは、開始のされ方により、終了方法が異なるので、ユーザは、バリアングルモニタ部１１１を反転した状態で撮影したい場合も、回転角度に関わらず撮影したい場合も、操作性良く自撮りモードでの撮影を行うことができる。また、バリアングルモニタ部１１１を反転した状態で、自撮りモード以外の他の撮影モードでの撮影も行うことができる。
【０１３５】
なお、デジタルカメラ１００の向きに応じて表示部２８の表示を切り替えることを説明したが、タッチパネル７０ａにタッチした状態でカメラの向きを回転させた場合には、タッチしたことがキャンセルされる。
【０１３６】
なお、本実施形態ではバリアングルモニタ部１１１を反転して撮影する撮影モードとして、自撮りモードを説明したが、これに限らずバリアングルモニタ部１１１を反転して撮影するのに適した撮影モードであればよい。また、バリアングルモニタ部１１１を反転（１８０度回転）すると自撮りショートカットボタン７０３を表示するとしたが、前述の角度は一例に過ぎず、バリアングルモニタ部１１１の回転角度が、回転可能なうち所定の範囲内になったことに応じて表示してもよい。また、バリアングルモニタ部１１１に表示部２８が設けられている場合だけでなく、回転可能なバリアングルモニタ部１１１に撮像部２２が設けられていてもよい。その場合、撮像方向と表示部２８の方向が反対である場合の撮像部２２の回転角度０度の場合と比較して、反転した（表示部２８を観察していた観察者側に向いた）場合に、表示部２８に自撮りショートカットボタン７０３を表示すればよい。また、自撮りショートカットボタン７０３を表示するか否かを設定できるようにしてもよい。
【０１３７】
撮像レンズ１０３の正面から撮影するのではなく、撮像レンズ１０３の上側からもしくは下側から自撮りを行うことがある。このような場合には、バリアングルモニタ部１１１を１８０度回転させるのではなく、１８０度よりも大きい角度や小さい角度である所定の角度にした方が、表示部２８に表示される被写体を確認しやすい。このような撮影においては、自撮りモードでない場合に、バリアングルモニタ部１１１が所定の角度になったことに応じて、自撮りショートカットボタン７０３を表示し、所定の角度からバリアングルモニタ部１１１を戻す操作に応じて自撮りモードを終了してもよい。
【０１３８】
なお、本実施形態において美肌設定は３段階、明るさ設定は５段階あるものとして説明したが、これに限らず、設ける設定の段階は増やしても減らしてもよい。
【０１３９】
なお、セルフタイマーは、０秒（セルフタイマーＯＦＦ）、２秒、１０秒の中から選択できることを説明したが、これに限らず、５秒や１２秒といった時間を設けてもよい。また、セルフタイマーＯＦＦにした場合にも、ユーザからの撮影指示を受けてから１秒後や０．５秒後といったセルフタイマーよりも短い間隔を設けて撮影をするようにして、撮影指示をした後にユーザが予め決めたように体制を整えるための準備期間を設けてもよい。
【０１４０】
なお、本実施形態では、表示部２８へのタッチ操作を検知するタッチパネル７０ａにおいて、自撮りモードの設定や撮影指示を行うことができるとしたが、タッチパネルを有していなくてもよい。操作部７０への操作に応じて自撮りモードの設定をしたり、シャッターボタン６１への操作に応じて撮影を行うようにしてもよい。動画の撮影指示も、動画ボタンへのタッチダウンではなく、操作部７０に動画撮影を指示するための部材を設けても良い。
【０１４１】
なお、バリアングルモニタ部１１１が反転していない状態で、モード選択画面７０５で自撮りモードに設定され、所定時間以内にバリアングルモニタ部１１１が反転された場合にも、バリアングルモニタ部１１１を戻す操作に応じて自撮りモードを終了してもよい。例えば、バリアングルモニタ部１１１を反転していない状態で、自撮りモードに設定した後２、３秒以内にバリアングルモニタ部１１１を反転したのであればバリアングルモニタ部１１１を反転した状態で撮影をしようとした可能性が高い。また、バリアングルモニタ部１１１を反転せずにモード選択画面７０５で自撮りモードに設定し、１回も撮影を行わずにバリアングルモニタ部１１１を反転した後に、撮影をした場合にも、バリアングルモニタ部１１１を戻す操作で自撮りモードを終了してもよい。モード選択画面７０５で自撮りモードに設定したとしても、ユーザがバリアングルモニタ部１１１を反転するまで、自撮りモードでの撮影を行わなかった場合には、バリアングルモニタ部１１１を反転した状態で自撮りモードの撮影をしようとして可能性が高い。以上のような場合に、ユーザがバリアングルモニタ部１１１を戻したことに応じて、自撮りモードを終了すると、ユーザがモード選択画面７０５で自撮りモードを終了する操作を行わなくてよいので、ユーザの操作性を高めることができる。
【０１４２】
なお、本実施形態においては、本発明を撮影制御装置に適用した場合について説明したが、本発明は撮像制御装置に限らずノートＰＣ等の画像処理装置の画像処理モード設定においても適用可能である。例えば、画面部分がキーボード部分を含む画像処理装置本体部に対して回転（反転）可能であり、本体部に対してもともと操作をしていたユーザとは異なる位置にいる他のユーザに向けて画面部分を回転して画面部分を見せることのできる画像処理装置がある。図９に示すように、ノートＰＣ３００は、本体部３０１と本体部に対して回転可能な表示部３０２があり、表示部３０２を回転させることで、表示部３０２の表示方向を様々な方向にすることができる。ｋ４から矢印ｄ２の方向に表示部３０２を回転し反転させるとｋ５の状態になる。表示部３０２を反転したこと、もしくは画像処理モード選択操作（表示内容の上下左右を反転処理するボタンの押下等を含む）に応じて、所定の画像処理モード（表示の上下左右を反転処理する、特定の部分を隠す等のモード）に遷移する。また、画面部分の反転を戻したことに応じて、以下のようにする。画面部分の反転に応じて他の画面処理モードに遷移した場合にはもとの画面処理モードに戻り、モード選択操作によって他の画面処理モードに設定された場合には画面部分を反転してももとの画面処理モードには戻らず、他の画面処理モードのままにする。このように、本発明は画像処理装置においても有効である。
【０１４３】
なお、撮像装置および画像処理装置の制御は１つのハードウェアが行ってもよいし、複数のハードウェアが処理を分担することで、装置全体の制御を行ってもよい。
【０１４４】
また、本発明をその好適な実施形態に基づいて詳述してきたが、本発明はこれら特定の実施形態に限られるものではなく、この発明の要旨を逸脱しない範囲の様々な形態も本発明に含まれる。
【０１４５】
また、上述した実施形態においては、本発明をデジタルカメラ１００およびノートＰＣ３００に適用した場合を例にして説明したが、これはこの例に限定されず回転可能な表示部または本体部を有する撮像装置や画像処理装置でも適用可能である。また、回転可能な表示部または本体部を制御可能な電子機器であれば適用可能である。また、回転可能でなくても対応する表示部と撮像部であって、表示部の表示方向に対する撮像部の撮像方向を検知可能であれば本発明を適用可能である。すなわち、本発明は携帯電話端末や携帯型の画像ビューワ、デジタルフォトフレーム、音楽プレーヤー、ゲーム機、電子ブックリーダーなどに適用可能である。
【０１４６】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006324278.tif 000002
【図２】
0006324278.tif 000003
【図３】
0006324278.tif 000004
【図４】
0006324278.tif 000005
【図５】
0006324278.tif 000006
【図６】
0006324278.tif 000007
【図７】
0006324278.tif 000008
【図８】
0006324278.tif 000009
【図９】
0006324278.tif 000010